(57)【要約】  本発明の一の態様に係るレンズ交換式カメラによれば、交換レンズの情報を取得し、取得した交換レンズの情報に基づいて、光学像における撮影画像に相当する範囲である撮影範囲の大きさを算出する。撮影範囲が光学像の画角によって示される範囲以下の場合には、光学像における撮影範囲を示す第１の画像を表示手段に表示させ、撮影範囲が光学像の画角によって示される範囲より大きい場合には、光学像における撮影範囲を示す第１の画像とは異なる第２の画像が、光学像の四隅近傍及び四辺近傍の少なくともいずれかに重畳されるように、第２の画像を表示手段に表示させる。その結果、撮影範囲の大きさに応じて第１の画像又は第２の画像が光学像に重ねて表示される。
2013153712.tif 000002
【特許請求の範囲】
【請求項１】
交換レンズを装着させるカメラマウントと、
前記交換レンズを透過した被写体光に基づいて撮影画像を取得する撮影手段と、
前記撮影画像と異なる経路で被写体の矩形状の光学像を接眼部に導く光学ファインダと、
画像を表示する表示手段と、
前記表示手段に表示された画像を前記光学像に重畳して前記接眼部に導く画像重畳手段と、
前記カメラマウントに装着された前記交換レンズの情報を取得する取得手段と、
前記取得した交換レンズの情報に基づいて、前記光学像における前記撮影画像に相当する範囲である撮影範囲を決定する撮影範囲決定手段と、
前記撮影範囲が前記光学像の画角によって示される範囲以下の場合には、前記光学像における前記撮影範囲を示す第１の画像を前記表示手段に表示させ、前記撮影範囲が前記光学像の画角によって示される範囲より大きい場合には、前記第１の画像とは異なる第２の画像が、前記光学像の四隅近傍及び四辺近傍の少なくともいずれかに重畳されるように、該第２の画像を前記表示手段に表示させる表示制御手段と、
を備えたレンズ交換式カメラ。
【請求項２】
前記撮影範囲決定手段は、前記撮影範囲が前記光学像の画角によって示される範囲を超える程度を算出し、
前記表示制御手段は、前記算出された前記撮影範囲が前記光学像の画角によって示される範囲を超える程度に基づいて、前記第２の画像の大きさ、色、明るさ及び形状の少なくとも１つを変更する請求項１に記載のレンズ交換式カメラ。
【請求項３】
前記表示制御手段は、前記撮影範囲が前記光学像の画角によって示される範囲より大きい場合には、前記撮影範囲と前記光学像の画角によって示される範囲との関係を示す画像を前記表示手段に表示させる請求項１または２に記載のレンズ交換式カメラ。
【請求項４】
前記表示制御手段は、前記第２の画像として、先端が外側に向いた形状の指標を含む画像を表示する請求項１から３のいずれかに記載のレンズ交換式カメラ。
【請求項５】
前記表示制御手段は、前記第２の画像として、前記表示手段の角に沿ったＬ字形状を含む画像を表示する請求項１から４のうちいずれかに記載のレンズ交換式カメラ。
【請求項６】
前記表示制御手段は、前記撮影手段によって取得された前記撮影画像を前記表示手段に表示させる請求項１から５のいずれかに記載のレンズ交換式カメラ。
【請求項７】
前記光学像における方向を指示する操作部を備え、
前記表示制御手段は、前記操作部により方向が指示された場合には、前記撮影画像のうちの前記光学像の画角によって示される範囲より大きい領域の画像であって、前記指示された方向に前記光学像の画角によって示される範囲を超える領域に対応する画像（以下「はみ出し画像」という）を前記表示手段に表示させる請求項６に記載のレンズ交換式カメラ。
【請求項８】
前記指示された方向における前記光学像の端部に前記はみ出し画像が重畳されるように、該はみ出し画像を前記表示手段に表示させる請求項７に記載のレンズ交換式カメラ。
【請求項９】
前記光学ファインダの光路中に配置された遮光手段であって、前記光学像が前記接眼部で視認できない遮光状態と非遮光状態とを領域毎に切り替え可能な遮光手段と、
前記表示手段に前記はみ出し画像が表示された場合に、前記遮光手段の前記はみだし画像が表示された領域に相当する領域を遮光状態とする制御手段と、
を備えた請求項６に記載のレンズ交換式カメラ。
【請求項１０】
カメラマウントを介して装着される交換レンズを通過した被写体光に基づいて撮影画像を取得する撮影手段と、前記交換レンズと異なる経路で被写体の矩形状の光学像を接眼部に導く光学ファインダと、表示手段と、前記表示手段に表示された画像を前記光学像に重畳して前記接眼部に導く画像重畳手段と、を備えたレンズ交換式カメラで行われるファインダの表示方法であって、
前記カメラマウントに装着された前記交換レンズの情報を取得するステップと、
前記取得した交換レンズの情報に基づいて、前記撮影画像に相当する前記光学像の範囲である撮影範囲を決定するステップと、
前記撮影範囲が前記光学像の画角によって示される範囲以下の場合には、前記光学像における前記撮影範囲を示す第１の画像を前記表示手段に表示させ、前記撮影範囲が前記光学像の画角によって示される範囲より大きい場合には、前記第１の画像とは異なる第２の画像が、前記光学像の四隅近傍及び四辺近傍の少なくとも１つに重畳されるように、該第２の画像を前記表示手段に表示させるステップと、
を備えたファインダの表示方法。
【発明の詳細な説明】
【技術分野】
【０００１】
本発明は、レンズ交換式カメラ及びファインダの表示方法に係り、特に、撮影範囲がファインダに表示される画像の範囲より広い場合に、撮影範囲がファインダに表示される画像の範囲より広いことをユーザが容易に把握することができるレンズ交換式カメラ及びファインダの表示方法に関する。
【背景技術】
【０００２】
特許文献１には、視野確認画像をファインダ内モニタに表示するとともに、撮影用の撮像素子で撮影される画像の範囲(以下、撮影範囲という)を示す枠をオンスクリーン機能で視野確認画像上に重畳表示する電子カメラが開示されている。
【先行技術文献】
【特許文献】
【０００３】
【特許文献１】特開２００８−９６５８４号公報
【発明の概要】
【発明が解決しようとする課題】
【０００４】
しかしながら、特許文献１に記載の発明においては、視野確認画像を撮影用の撮像素子とは異なる撮像素子で撮影しているため、ファインダで視認されているのは電子像である。しかしながら、電子像では、撮影から表示までにタイムラグがある上、電子像より光学像の方がクリアであるため、ファインダでは光学像が視認されることが望ましい。【０００５】
また、特許文献１に記載の発明においては、視野確認画像の範囲（ファインダに表示される画像の範囲）が撮影用の撮像素子で撮影される画像の範囲（撮影範囲）より広いことが前提となっているため、撮影範囲を示す枠は必ず表示される。また、ズームレンズを備えたカメラでは、ズーミングによる撮影範囲の変化に応じて、撮影範囲を示す枠の大きさを変化させてファインダに表示し、ユーザが撮影範囲を確認できるようにすることが考えられる。この場合、広角側にズーミングすると、ファインダに表示される撮影範囲を示す枠の大きさが徐々に大きくなり、視野確認画像の範囲を超えると撮影範囲を示す枠がファインダから見えなくなるので、撮影範囲がファインダに表示される画像の範囲より大きくなったことをユーザが認識できる。【０００６】
しかしながら、レンズ交換可能なカメラにおいては、電源投入又はレンズ交換をした初期状態において、撮影範囲がファインダに表示される画像の範囲より広くなることも考えられ、このような場合には撮影範囲を示す枠はファインダに常に表示されない。したがって、撮影範囲が光学像より大きいことをユーザが直感的に認識することができないという問題がある。【０００７】
本発明はこのような事情に鑑みてなされたもので、レンズ交換可能なカメラにおいて、撮影範囲がファインダに表示される画像の範囲より広い場合に、撮影範囲がファインダに表示される画像の範囲より広いことをユーザが容易に把握することができるレンズ交換式カメラ及びファインダの表示方法を提供することを目的とする。
【課題を解決するための手段】
【０００８】
上記目的を達成するために、本発明の一の態様に係るレンズ交換式カメラは、交換レンズを装着させるカメラマウントと、交換レンズを透過した被写体光に基づいて撮影画像を取得する撮影手段と、撮影画像と異なる経路で被写体の矩形状の光学像を接眼部に導く光学ファインダと、画像を表示する表示手段と、表示手段に表示された画像を光学像に重畳して接眼部に導く画像重畳手段と、カメラマウントに装着された交換レンズの情報を取得する取得手段と、取得した交換レンズの情報に基づいて、光学像における撮影画像に相当する範囲である撮影範囲を決定する撮影範囲決定手段と、撮影範囲が光学像の画角によって示される範囲以下の場合には、光学像における撮影範囲を示す第１の画像を表示手段に表示させ、撮影範囲が光学像の画角によって示される範囲より大きい場合には、第１の画像とは異なる第２の画像が、光学像の四隅近傍及び四辺近傍の少なくともいずれかに重畳されるように、該第２の画像を表示手段に表示させる表示制御手段と、を備える。【０００９】
なお本態様のレンズ交換式カメラにおいて、「矩形状」は完全な矩形状に限定されず、例えば四隅の角が丸い不完全な形状をも含まれる。【００１０】
本発明の一の態様に係るレンズ交換式カメラによれば、交換レンズの情報を取得し、取得した交換レンズの情報に基づいて、光学像における撮影画像に相当する範囲である撮影範囲の大きさを算出する。撮影範囲が光学像の画角によって示される範囲以下の場合には、光学像における撮影範囲を示す第１の画像を表示手段に表示させ、撮影範囲が光学像の画角によって示される範囲より大きい場合には、光学像における撮影範囲を示す第１の画像とは異なる第２の画像が、光学像の四隅近傍及び四辺近傍の少なくともいずれかに重畳されるように、第２の画像を表示手段に表示させる。その結果、撮影範囲の大きさに応じて第１の画像又は第２の画像が光学像に重ねて表示される。これにより、撮影範囲が光学像より小さい場合には撮影範囲をユーザが容易に把握することができる。また、撮影範囲が光学像より広い場合に、撮影範囲が光学像より広いことをユーザが容易に把握することができる。【００１１】
本発明の他の態様に係るレンズ交換式カメラにおいて、撮影範囲決定手段は、撮影範囲が光学像の画角によって示される範囲を超える程度を算出し、表示制御手段は、算出された撮影範囲が光学像の画角によって示される範囲を超える程度に基づいて、第２の画像の大きさ、色、明るさ及び形状の少なくとも１つを変更してもよい。これにより、撮影範囲が光学像の画角を超える程度をユーザが容易に把握することができる。【００１２】
本発明の他の態様に係るレンズ交換式カメラにおいて、表示制御手段は、撮影範囲が光学像の画角によって示される範囲より大きい場合には、撮影範囲と光学像の画角によって示される範囲との関係を示す画像を表示手段に表示させてもよい。これにより、撮影範囲が光学像の画角を超える程度をユーザが直感的に把握することができる。【００１３】
本発明の他の態様に係るレンズ交換式カメラにおいて、表示制御手段は、第２の画像として、先端が外側に向いた形状の指標を含む画像を表示してもよい。これにより、撮影範囲が光学像より広いことをユーザが直感的に把握することができる。【００１４】
本発明の他の態様に係るレンズ交換式カメラにおいて、表示制御手段は、第２の画像として、表示手段の角に沿ったＬ字形状を含む画像を表示してもよい。これにより、撮影範囲が光学像より広いことをユーザが直感的に把握することができる。なお本態様のレンズ交換式カメラにおいて「Ｌ字形状」は、アルファベットの大文字の「Ｌ」に完全に一致する形状には限定されない。例えば、互いに直交する二本の線分の長さが同じであってもよいし、いずれかの線分が長くてもよい。また二本の線分が完全に直交していなくてもよい。【００１５】
本発明の他の態様に係るレンズ交換式カメラにおいて、半押し時に撮影準備動作を指示し、全押し時に撮影動作を指示する撮影指示部を備え、表示制御手段は、撮影指示部が半押しされている場合には、第２の画像を表示手段に表示させないようにしてもよい。これにより、不必要な情報をファインダから消去することができる。【００１６】
本発明の他の態様に係るレンズ交換式カメラにおいて、表示制御手段は、撮影手段によって取得された撮影画像を表示手段に表示させてもよい。【００１７】
本発明の他の態様に係るレンズ交換式カメラにおいて、光学像における方向を指示する操作部を備え、表示制御手段は、操作部により方向が指示された場合には、撮影画像のうちの光学像の画角によって示される範囲より大きい領域の画像であって、指示された方向に光学像の画角によって示される範囲を超える領域に対応する画像（以下「はみ出し画像」という）を表示手段に表示させてもよい。これにより、撮影画像のうちの光学像では確認できない領域をユーザが確認することができる。【００１８】
本発明の他の態様に係るレンズ交換式カメラにおいて、指示された方向における光学像の端部にはみ出し画像が重畳されるように、該はみ出し画像を表示手段に表示させてもよい。【００１９】
本発明の他の態様に係るレンズ交換式カメラにおいて、光学ファインダの光路中に配置された遮光手段であって、光学像が接眼部で視認できない遮光状態と非遮光状態とを領域毎に切り替え可能な遮光手段と、表示手段にはみ出し画像が表示された場合に、遮光手段のはみだし画像が表示された領域に相当する領域を遮光状態とする制御手段と、を備えてもよい。これにより、はみ出し画像を見やすく表示することができる。【００２０】
本発明の他の態様に係るレンズ交換式カメラにおいて、光学ファインダは、第１の画像が所定の大きさより小さい場合には、光学像の倍率を変更するファインダ倍率変更手段を備えてもよい。これにより、光学像を見やすくすることができる。【００２１】
本発明の一の態様に係るファインダの表示方法において、カメラマウントを介して装着される交換レンズを通過した被写体光に基づいて撮影画像を取得する撮影手段と、交換レンズと異なる経路で被写体の矩形状の光学像を接眼部に導く光学ファインダと、表示手段と、表示手段に表示された画像を光学像に重畳して接眼部に導く画像重畳手段と、を備えたレンズ交換式カメラで行われるファインダの表示方法であって、カメラマウントに装着された交換レンズの情報を取得するステップと、取得した交換レンズの情報に基づいて、撮影画像に相当する光学像の範囲である撮影範囲を決定するステップと、撮影範囲が光学像の画角によって示される範囲以下の場合には、光学像における撮影範囲を示す第１の画像を表示手段に表示させ、撮影範囲が光学像の画角によって示される範囲より大きい場合には、第１の画像とは異なる第２の画像が、光学像の四隅近傍及び四辺近傍の少なくとも１つに重畳されるように、該第２の画像を表示手段に表示させるステップと、を備える。これにより、撮影範囲が光学像より小さい場合には撮影範囲をユーザが容易に把握することができる。また、撮影範囲が光学像より広い場合に、撮影範囲が光学像より広いことをユーザが容易に把握することができる。
【発明の効果】
【００２２】
本発明によれば、レンズ交換可能なカメラにおいて、撮影範囲がファインダに表示される画像の範囲より広い場合に、撮影範囲がファインダに表示される画像の範囲より広いことをユーザが容易に把握することができる。
【図面の簡単な説明】
【００２３】
【図１】本発明の一の実施の形態に係る撮像装置１００の正面斜視図である。
【図２】撮像装置１００の背面図である。
【図３】ファインダの要部構成図である。
【図４】ファインダの要部構成図であり、液晶シャッタが遮光状態にある場合を示す。
【図５】ファインダの要部構成図であり、ファインダ変倍レンズが光軸Ｌ２上にある場合を示す。
【図６】撮像装置１００の要部構成を示すブロック図である。
【図７】撮影範囲が光学像より小さい場合のファインダ表示の一例である。
【図８】撮影範囲が光学像より小さい場合のファインダ表示の一例である。
【図９】撮影範囲が光学像より小さい場合のファインダ表示の一例である。
【図１０】撮影範囲が光学像より大きい場合のファインダ表示の一例である。
【図１１】電子ビューファインダ使用時のファインダ表示の一例である。
【図１２】撮影範囲が光学像より大きい場合のファインダ表示の一例である。
【図１３】はみ出し画像について説明する図である。
【図１４】はみ出し画像が表示された場合のファインダ表示の一例である。
【発明を実施するための形態】
【００２４】
以下、添付図面に従って本発明に係るレンズ交換式カメラ及びファインダの表示方法を実施するための形態について詳細に説明する。
【００２５】
＜第１の実施の形態＞
＜撮像装置の構成＞
図１は、本発明の一の実施の形態に係るレンズ交換式カメラである撮像装置１００の正面斜視図であり、図２は、撮像装置１００の背面図である。撮像装置１００は、カメラ本体２００（カメラ本体）と、カメラ本体２００に交換可能に装着される交換レンズ３００（レンズ装置）と、から構成される。カメラ本体２００と交換レンズ３００とは、カメラ本体２００に備えられたマウント２５６（図６参照）（カメラマウント）と、マウント２５６に対応する交換レンズ３００側のマウント３４６（図６参照）とが結合されることにより交換可能に装着される。
【００２６】
カメラ本体２００の前面には、マウント２５６の他、ファインダ２４０（後に詳述）のファインダ窓２４１、ファインダ切り替えレバー２１４等が設けられている。なお、ファインダ２４０の光軸Ｌ２は、交換レンズ３００の光軸Ｌ１とは異なる光軸である。また、カメラ本体２００の上面には、主としてレリーズボタン２１１（撮影指示部）及び撮影モード設定用のダイヤル２１２が設けられている。
【００２７】
レリーズボタン２１１は、撮像開始の指示を入力するための操作手段であり、いわゆる「半押し」と「全押し」とからなる２段ストローク式のスイッチで構成されている。撮像装置１００は、レリーズスイッチが半押しされることによってＳ１オンの信号、半押しから更に押し込む全押しがされることによってＳ２オンの信号が出力され、Ｓ１オン信号が出力されると自動焦点調節（ＡＦ処理）や自動露出制御（ＡＥ処理）などの撮影準備処理を実行し、Ｓ２オン信号が出力されると撮影処理を実行する。なお、レリーズボタン２１１は半押しと全押しとからなる２段ストローク式のスイッチの形態に限られず、1回の操作でＳ１オンの信号、Ｓ２オンの信号を出力しても良く、それぞれ個別のスイッチを設けてＳ１オンの信号、Ｓ２オンの信号を出力しても良い。また、タッチ式パネル等により操作指示を行う形態では、これら操作手段としてタッチ式パネルの画面に表示される操作指示に対応する領域をタッチすることで操作指示を出力するようにしても良く、本発明においては撮影準備動作や撮影動作を指示するものであれば操作手段の形態はこれらに限られない。また、１つの操作手段への操作指示で撮影準備動作と撮影動作を連続して実行するようにしても良い。
【００２８】
カメラ本体２００の背面には、主として、ファインダ接眼部２４２、モニター２１３、ＭＥＮＵ／ＯＫキー２２２、十字キー２２１（方向指示ボタン）、ＢＡＣＫキー２２３、Ｑボタン２２４が設けられている。
【００２９】
ＭＥＮＵ／ＯＫキー２２２は、モニター２１３の画面にメニューを表示させる指令を行うためのメニューボタンとしての機能と、選択内容の確定及び実行などを指令するＯＫボタンとしての機能とを兼備した操作キーである。十字キー２２１は、上下左右の４方向の指示を入力する操作部であり、メニュー画面から項目を選択したり、各メニューから各種設定項目の選択を指示したりするボタン（カーソル移動操作手段）として機能する。また、十字キー２２１の上／下キーは撮影時のズームスイッチあるいは再生モード時の再生ズームスイッチとして機能し、左／右キーは再生モード時のコマ送り（順方向／逆方向送り）ボタンとして機能する。ＢＡＣＫキー２２３は、選択項目など所望の対象の消去や指示内容の取消し、あるいは１つ前の操作状態に戻らせるときなどに使用される。Ｑボタン２２４は、モニター２１３の画面上に所望のメニュー画面を表示させる指令を行うボタンとして機能する。
【００３０】
図３〜５は、ファインダ２４０の光学系を示す模式図であり、図３、５は光学像が視認可能な状態を示し、図４は電子像が視認可能な状態を示す。
【００３１】
ファインダ２４０は、主として、ファインダ窓２４１、ファインダ接眼部２４２、液晶シャッタ２４３、ファインダ変倍レンズ２４４、対物レンズ２４５、プリズム２４６、接眼レンズ２４７、液晶板２４８、液晶板用レンズ２４９とで構成される。
【００３２】
ファインダ窓２４１、ファインダ接眼部２４２、液晶シャッタ２４３、対物レンズ２４５、プリズム２４６、接眼レンズ２４７は、光軸Ｌ２上に配置される。ファインダ窓２４１、液晶シャッタ２４３、対物レンズ２４５、プリズム２４６を透過した被写体光は、接眼レンズ２４７によりファインダ接眼部２４２に導かれる。この結果、被写体の光学像がファインダ接眼部２４２から視認される。すなわち、ファインダ窓２４１、液晶シャッタ２４３、対物レンズ２４５、プリズム２４６、接眼レンズ２４７、ファインダ接眼部２４２（接眼部）は、光学ファインダ（光学ビューファインダ）として機能する。
【００３３】
ファインダ変倍レンズ２４４は、図３に示す位置と、図５に示す光軸Ｌ２上の位置との間で平行移動自在に設けられる。図３に示すファインダ変倍レンズ２４４が光軸Ｌ２上にない状態から、図５に示すファインダ変倍レンズ２４４が光軸Ｌ２上にある状態へ変更されると、ファインダ接眼部２４２から観察される光学像が拡大される。
【００３４】
液晶シャッタ２４３（遮光手段）は、ファインダ窓２４１から入射した被写体光の光軸Ｌ２と垂直に、ファインダ窓２４１の背面に設けられている。液晶シャッタ２４３は、一対の基板間に封止された液晶層を有し、液晶層に印加する電圧により偏光方向が変化する液晶パネルである。液晶シャッタ２４３は、例えば１６００×９００画素の解像度を有する液晶パネルであり、シャッタ制御部２３９（図６参照）の制御により、図４に示すようにファインダ窓２４１から入射した被写体光を遮光する遮光状態と、被写体光を透過させる透過状態（非遮光状態）とを画素毎に切り替え可能に構成されている。つまり、液晶シャッタ２４３上の領域毎に遮光状態と非遮光状態とを切り換えることにより、被写体光の光学像の領域毎に遮光状態と非遮光状態とを切り換える。
【００３５】
尚、本例では液晶シャッタ２４３を用いているが、遮光板を光軸方向の光路中に挿抜することにより遮光状態及び非遮光状態を切り替えるようにしてもよい。遮光板では、部分的な遮光はできないが、透過状態のときは光路に液晶シャッタがないので、液晶シャッタを用いた場合よりも視認性が良い。
【００３６】
液晶板２４８（表示手段）は、液晶シャッタ２４３の解像度と同じ１６００×９００画素の解像度を有する液晶パネルである。液晶板２４８には、表示制御部２１０（図６参照）の制御により、交換レンズ３００の焦点距離（画角）に基づいて、撮像素子２０２の受光面に入射した被写体光の範囲である撮影範囲を示すフレーム枠が表示される。また、液晶板２４８には、表示制御部２１０（図６参照）の制御により、被写体像を反転した画像を表示することもできる。
【００３７】
液晶板２４８に表示された画像は、光軸Ｌ３上に設けられ、光軸Ｌ３上にある液晶板用レンズ２４９を透過してプリズム２４６（画像重畳手段）に入射される。
【００３８】
プリズム２４６は、第１プリズム２４６ａと第２プリズム２４６ｂとから構成されており、第１プリズム２４６ａと第２プリズム２４６ｂとが接合する部分には、ハーフミラー面２４６Ｍが形成されている。このハーフミラー面２４６Ｍは、液晶板用レンズ２４９の光軸Ｌ３に対して４５°傾けられて設置される。液晶板２４８に表示された画像は、液晶板用レンズ２４９によって拡大され、ハーフミラー面２４６Ｍによって左右が反転されて図面右方向に反射される。ハーフミラー面２４６Ｍによって反射された画像（正立正像）は、接眼レンズ２４７を透過してファインダ接眼部２４２に導かれる。
【００３９】
図６は撮像装置１００の構成を示すブロック図である。撮像装置１００の動作は、カメラ本体２００のメインＣＰＵ２５１及び交換レンズ３００のレンズＣＰＵ３４０によって統括制御されている。
【００４０】
メインＣＰＵ２５１は、フラッシュＲＯＭ２２６に記憶されたカメラ制御プログラムをＳＤＲＡＭ２３２に展開し、ＳＤＲＡＭ２３２をワークメモリとして使用しながら各種処理を実行する。また、レンズＣＰＵ３４０は、ＲＯＭ３４４に記憶されたカメラ制御プログラムをＲＡＭ３４２に展開し、ＲＡＭ３４２をワークメモリとして使用しながら各種処理を実行する。ＳＤＲＡＭ２３２は、メインＣＰＵ２５１の演算作業用領域として利用され、また、画像データの一時記憶領域としても利用される。フラッシュＲＯＭ２２６には、メインＣＰＵ２５１が実行する制御プログラム及び制御に必要な各種データ等が格納されており、ＲＯＭ２２８には、ユーザ設定情報等のデジタルカメラの動作に関する各種設定情報等が格納されている。
【００４１】
ユーザによりＭＥＮＵ／ＯＫキー２２２、十字キー２２１、ＢＡＣＫキー２２３等を含む操作部２２０が操作されると、操作部２２０からの信号はメインＣＰＵ２５１に入力され、メインＣＰＵ２５１は入力信号に基づいてカメラ本体２００の各回路を制御すると共に、後述するようにマウント２５６及びマウント通信部２５０を介して交換レンズ３００との間で信号を送受信する。
【００４２】
マウント２５６には端子２５７が設けられており、マウント３４６には端子３４７が設けられていて、交換レンズ３００をカメラ本体２００に装着すると、対応する端子２５７と端子３４７とが接触して通信が可能となる。なお、本発明における端子２５７、端子３４７の位置及び個数は特に限定されない。カメラ本体２００と交換レンズ３００との間では駆動指令、各種制御ステータス（レンズ駆動開始／完了通知等）、レンズの設定情報等の通信が行われる。上述した端子には例えば接地用端子、同期信号用端子、シリアル通信用端子、制御ステータス通信用端子、及びカメラ本体２００のバッテリ２５２から交換レンズ３００の各部への電源供給用端子が含まれる。
【００４３】
交換レンズ３００は、主として、ズームレンズＺＬ、フォーカスレンズＦＬ、絞りＩ、レンズＣＰＵ３４０等から構成される。
【００４４】
ズームレンズＺＬ及びフォーカスレンズＦＬは、同じ光軸上を前後移動し、ズーム及びフォーカスを行う。ズームレンズＺＬは、ズームレンズ制御部３１０により駆動されて焦点距離が変更される。メインＣＰＵ２５１は、ユーザが行ったズームレバーの操作に応じて、交換レンズ３００内のズームレンズＺＬを移動させて焦点距離を変更する。フォーカスレンズＦＬは、フォーカスレンズ制御部３２０により駆動される。
【００４５】
絞りＩは、撮像素子２０２へ入射する光量を制御し、シャッタスピードと共に露出の制御を行う。絞りＩは、例えば、５枚の絞り羽根からなり、絞り値Ｆ1.4〜Ｆ11まで１ＡＶ刻みで６段階に絞り制御される。絞りＩは、絞り制御部３３０によって駆動され、開口量が調整される。
【００４６】
レンズＣＰＵ３４０は、位置センサ（図示せず）によって検出されたズームレンズＺＬ及びフォーカスレンズＦＬの光軸Ｌ１方向の現在位置とレンズ目標位置と、ＲＯＭ３４４からＲＡＭ３４２に展開された交換レンズ３００の設定情報のうちのレンズ調整ＥＥＰＲＯＭ値に基づいてズームレンズＺＬ及びフォーカスレンズＦＬの移動量を決定する。
【００４７】
ズームレンズ制御部３１０は、レンズＣＰＵ３４０からの指令に従い、ズームレンズＺＬを光軸Ｌ１方向に移動させて撮影倍率を可変する。また、フォーカスレンズ制御部３２０は、レンズＣＰＵ３４０からの指令に従い、フォーカスレンズＦＬを光軸Ｌ１方向に沿って前後に移動させて被写体に合焦させる。絞り制御部３３０は、レンズＣＰＵ３４０からの指令に従い、絞りＩの絞り値を変更する。
【００４８】
撮像素子２０２（撮影手段）は、ズームレンズＺＬ、フォーカスレンズＦＬ及び絞りＩの後段に配置されており、ズームレンズＺＬ、フォーカスレンズＦＬ及び絞りＩを透過した被写体光を受光する。撮像素子２０２は、多数の受光素子がマトリクス状に配列された受光面を備えている。ズームレンズＺＬ、フォーカスレンズＦＬ及び絞りＩを透過した被写体光は、この撮像素子２０２の受光面上に結像され、各受光素子によって電気信号に変換される。なお、撮像素子２０２としては、ＣＭＯＳ、ＣＣＤ等の様々な光電変換素子を用いることができる。
【００４９】
この撮像素子２０２は、撮像素子制御部２０１から供給される垂直転送クロック及び水平転送クロックに同期して、各画素に蓄積された電荷を１ラインずつシリアルな画像信号として出力する。メインＣＰＵ２５１は、撮像素子制御部２０１を制御して、撮像素子２０２の駆動を制御する。
【００５０】
なお、各画素の電荷蓄積時間（露出時間）は、撮像素子制御部２０１から与えられる電子シャッタ駆動信号によって決められる。メインＣＰＵ２５１は、撮像素子制御部２０１に電荷蓄積時間を指示する。
【００５１】
また、画像信号の出力は、撮像装置１００が撮影モードにセットされると開始される。すなわち、撮像装置１００が撮影モードにセットされると、モニター２１３にスルー画像（ライブビュー画像）を表示するため、画像信号の出力が開始される。このスルー画像用の画像信号の出力は、本撮影の指示が行われると一旦停止され、本撮影が終了すると再度開始される。
【００５２】
撮像素子２０２から出力される画像信号は、アナログ信号であり、このアナログの画像信号は、アナログ信号処理部２０３（撮影手段）に取り込まれる。
【００５３】
アナログ信号処理部２０３は、相関二重サンプリング回路（ＣＤＳ）、及び自動ゲインコントロール回路（ＡＧＣ）を含んで構成される。ＣＤＳは、画像信号に含まれるノイズの除去を行い、ＡＧＣは、ノイズ除去された画像信号を増幅する。このアナログ信号処理部２０３で所要の信号処理が施されたアナログの画像信号は、Ａ／Ｄ変換器２０４（撮影手段）に取り込まれる。
【００５４】
Ａ／Ｄ変換器２０４は、取り込んだアナログの画像信号を所定ビットの階調幅を持ったデジタルの画像信号に変換する。この画像信号は、いわゆるＲＡＷデータであり、画素毎Ｒ、Ｇ、Ｂの濃度を示す階調値を有している。
【００５５】
画像入力コントローラ２０５（撮影手段）は、所定容量のラインバッファを内蔵しており、Ａ／Ｄ変換器２０４から出力された１コマ分の画像信号を蓄積する。この画像入力コントローラ２０５に蓄積された１コマ分の画像信号は、ＳＤＲＡＭ２３２に格納される。
【００５６】
ＳＤＲＡＭ２３２に格納された１コマ分の画像信号は、点順次（画素の順番）にデジタル信号処理部２０６（撮影手段）に取り込まれる。
【００５７】
デジタル信号処理部２０６は、点順次に取り込んだＲ、Ｇ、Ｂの各色の画像信号に対して信号処理を施し、輝度信号Ｙと色差信号Ｃｒ、Ｃｂとからなる画像信号（Ｙ／Ｃ信号）を生成する。
【００５８】
ＡＦ検出部２２７は、メインＣＰＵ２５１の指令に従い、ＳＤＲＡＭ２３２に格納されたＲ、Ｇ、Ｂの画像信号を取り込み、ＡＦ（Automatic Focus）制御に必要な焦点評価値を算出する。このＡＦ検出部２２７は、Ｇ信号の高周波成分のみを通過させるハイパスフィルタ、絶対値化処理部、画面に設定されたフォーカス領域（以下、ＡＦエリアという）内の信号を切り出すＡＦエリア抽出部、及び、ＡＦエリア内の絶対値データを積算する積算部を含み、この積算部で積算されたＡＦエリア内の絶対値データを焦点評価値としてメインＣＰＵ２５１に出力する。焦点評価値に基づくフォーカスレンズＦＬの制御方式としては、焦点評価値が極大となる位置をサーチし、その位置にフォーカスレンズＦＬを移動させる方式や、フォーカスレンズＦＬを焦点評価値が増加する方向に移動させて行き、焦点評価値が減少し始める点を検出するとその位置にフォーカスレンズ群を設定する山登り方式を用いることができる。また、位相差を用いる位相差ＡＦ用の撮像素子を別途配設し、位相差ＡＦ用の撮像素子により検出された位相差を用いてＡＦを行う位相差方式を用いてもよい。
【００５９】
ＡＥ／ＡＷＢ検出部２２９は、ＳＤＲＡＭ２３２に格納されたＲ、Ｇ、Ｂの画像信号を取り込み、画面全体のＧ信号を積算し、又は画面中央部と周辺部とで異なる重みづけをしたＧ信号を積算し、そのＡＥ制御に必要な積算値をメインＣＰＵ２５１に出力する。メインＣＰＵ２５１は、積算値から輝度値を算出し、輝度値から露出値を求める。また露出値からプログラム線図に従って、絞り値及びシャッタ速度を決定する。
【００６０】
また、ＡＥ／ＡＷＢ検出部２２９は、ＡＷＢ制御に必要な物理量として、１画面を複数のエリア（例えば、１６×１６）に分割し、分割したエリア毎にＲ、Ｇ、Ｂの画像信号の色別の平均積算値を算出する。メインＣＰＵ２５１は、得られたＲの積算値、Ｂの積算値、Ｇの積算値から分割エリア毎にＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、例えば各比の値がおよそ１（つまり、１画面においてＲＧＢの積算比率がＲ：Ｇ：Ｂ＝１：１：１）になるように、ホワイトバランス調整回路のＲ、Ｇ、Ｂ信号に対するゲイン値（ホワイトバランス補正値）を決定する。ＡＥ／ＡＷＢ検出部２２９は、ＳＤＲＡＭ２３２に格納された一コマ分の画像信号に光源種に応じたデジタルゲインをかけることでホワイトバランス調整を行うと共に、ガンマ（階調特性）処理及びシャープネス処理を行ってＲ、Ｇ、Ｂ信号を生成する。
【００６１】
圧縮・伸張処理部２０８は、メインＣＰＵ２５１からの指令に従ってデジタル信号処理部２０６で生成された画像データに圧縮処理を施し、圧縮画像データを生成する。また、圧縮された画像データに伸張処理を施して、非圧縮の画像データを生成する。
【００６２】
メディア制御部２３４は、メインＣＰＵ２５１からの指令に従い、撮影により得られた画像データをメモリカード２３６に記録し、また、記録済み画像をメモリカード２３６から読み出す。
【００６３】
表示制御部２１０（表示制御手段）は、メインＣＰＵ２５１からの指令に従いモニター２１３及び液晶板２４８への表示を制御する。
【００６４】
ファインダ制御部２３８は、ファインダ変倍レンズ２４４を駆動して、ファインダ変倍レンズ２４４の光軸Ｌ２上への挿脱を行う。
【００６５】
液晶シャッタ制御部２３９（制御手段）は、液晶シャッタ２４３（遮光手段）の遮光状態／非遮光状態を制御する。
【００６６】
［撮像装置の動作の説明］
以上のように構成された撮像装置１００の画像記録の手順について説明する。この処理はメインＣＰＵ２５１によって制御される。この撮像処理をメインＣＰＵ２５１に実行させるためのプログラムはメインＣＰＵ２５１内のプログラム格納部に記憶されている。
【００６７】
交換レンズ３００が撮像装置１００のカメラ本体２００に取り付けられた状態で電源が投入された場合、カメラ本体２００の電源がＯＮの状態で交換レンズ３００がカメラ本体２００に取り付けられた場合には、メインＣＰＵ２５１（取得手段）は、マウント通信部２５０（取得手段）を制御して、交換レンズ３００と通信を行って交換レンズ３００から交換レンズ３００の情報（レンズ情報）を取得し、このレンズ情報に基づいて交換レンズ３００の焦点距離を取得する。交換レンズ３００から直接的に焦点距離を示す情報を取得してもよいし、交換レンズ３００から交換レンズ３００の種別を示す情報を取得し、その種別を示す情報に基づいて焦点距離を求めてもよい。また、本例のメインＣＰＵ２５１（取得手段）は、マウント通信部２５０（取得手段）を制御して、交換レンズ３００と通信を行って、ズームレンズＺＬの位置情報、フォーカスレンズＦＬの位置情報、すなわち交換レンズ３００の被写体距離を、取得する。
【００６８】
また、メインＣＰＵ２５１は、ファインダ２４０のファインダ変倍レンズ２４４が光軸Ｌ２上にあるか否かを判断し、それに基づいて光学像の画角を取得する。すなわち、メインＣＰＵ２５１は、ファインダ変倍レンズ２４４が光軸Ｌ２上に無い場合（図３に示す場合）には、光学像が標準の第１の画角であることを取得する。また、メインＣＰＵ２５１は、ファインダ変倍レンズ２４４が光軸Ｌ２上にある場合（図５に示す場合）には、ファインダ変倍レンズ２４４により光学像が拡大されるため、光学像が第１の画角より狭い第２の画角であることを取得する。
【００６９】
メインＣＰＵ２５１（撮影範囲決定手段）は、交換レンズ３００の焦点距離や被写体距離と、光学像の画角とに基づいて撮像素子２０２で撮影される被写体像の範囲（撮影範囲）を示す画像であるフレーム枠Ｆの位置及び大きさを算出する。即ち、メインＣＰＵ２５１は、交換レンズ３００から取得したレンズ情報に基づいて、光学像における撮影範囲（撮影画像に相当する範囲）を決定する。例えば、フラッシュＲＯＭ２２６（又はメインＣＰＵ２５１内のメモリ）に光学像の画角と交換レンズ３００の焦点距離との関係を記憶しておき、これを参照すればフレーム枠Ｆの大きさが算出できる。また、例えば、フラッシュＲＯＭ２２６（又はメインＣＰＵ２５１内のメモリ）に光学像の画角と被写体距離との関係を記憶しておき、これを参照すればフレーム枠Ｆの位置が算出できる。
【００７０】
メインＣＰＵ２５１（表示制御手段）は、フレーム枠Ｆの大きさが光学像の画角によって示される範囲以下である場合には、表示制御部２１０（表示制御手段）を制御して、算出された大きさのフレーム枠Ｆが算出された位置に表示されるように、液晶板２４８にフレーム枠Ｆを表示する。
【００７１】
図７は、ファインダ変倍レンズ２４４が光軸Ｌ２上にある場合、かつ交換レンズ３００の焦点距離が３５ｍｍの場合のファインダ表示の一例である。図８は、ファインダ変倍レンズ２４４が光軸Ｌ２上にある場合、かつ交換レンズ３００の焦点距離が６０ｍｍの場合のファインダ表示の一例である。図７、８に示すように、ファインダ２４０には、第１の画角の光学像に、焦点距離に応じたフレーム枠Ｆが重ねて表示されている。
【００７２】
メインＣＰＵ２５１は、フレーム枠Ｆの位置及び大きさを算出した結果、光学像の画角によって示される範囲に対してフレーム枠Ｆの大きさが所定の大きさ（例えば、光学像の半分）より小さい場合には、ファインダ変倍レンズ２４４が光軸Ｌ２上にあるか否かを判断する。ファインダ変倍レンズ２４４が光軸Ｌ２上にない場合には、メインＣＰＵ２５１は、ファインダ制御部２３８を介してファインダ変倍レンズ２４４を光軸Ｌ２外の位置から光軸Ｌ２上の位置に移動させて光学像を第２の画角とする。そして、メインＣＰＵ２５１（表示制御手段）は、既に説明した方法により、再度、フレーム枠Ｆの位置及び大きさを算出して液晶板２４８にフレーム枠Ｆを表示する。
【００７３】
図９は、ファインダ変倍レンズ２４４が光軸Ｌ２上にない場合、かつ交換レンズ３００の焦点距離が１８ｍｍの場合のファインダ表示の一例である。交換レンズ３００の焦点距離が１８ｍｍの場合には撮影範囲が広くフレーム枠Ｆの大きさが大きいのでユーザが視認しやすいが、交換レンズ３００の焦点距離を長くすると撮影範囲が狭くなり、フレーム枠Ｆの大きさが小さくなるので、ユーザが視認しづらい。したがって、図７に示すように、ファインダ２４０に、第１の画角より画角の狭い第２の画角の光学像に、焦点距離に応じたフレーム枠Ｆを重ねて表示させる。
【００７４】
なお、図７〜９においては、フレーム枠Ｆの中心近傍にＡＦエリアを示す枠Ｅが表示されているが、枠Ｅの表示は必須ではない。メインＣＰＵ２５１は、フレーム枠Ｆと同様の方法により枠Ｅの大きさや位置を算出することができる。また、図７〜９においては、撮影範囲を示す画像としてフレーム枠Ｆを表示したが、撮影範囲を示す画像はこれに限られない。例えば、角を示すＬ字形状４個からなる画像、撮影範囲外をマスキングした画像等様々な形態を用いることができる。なお「Ｌ字形状」は、アルファベットの大文字の「Ｌ」に完全に一致する形状には限定されない。例えば互いに直交する二本の線分の長さが同じであってもよいし、いずれかの線分が長くてもよい。また二本の線分が完全には直交していなくてもよい。
【００７５】
メインＣＰＵ２５１がフレーム枠Ｆの位置及び大きさを算出した結果、フレーム枠Ｆが光学像の画角によって示される範囲より大きい場合もある。この場合には、メインＣＰＵ２５１は、ファインダ変倍レンズ２４４が光軸Ｌ２上にあるか否かを判断する。ファインダ変倍レンズ２４４が光軸Ｌ２上にある場合には、メインＣＰＵ２５１は、ファインダ制御部２３８を介してファインダ変倍レンズ２４４を光軸Ｌ２上の位置から光軸Ｌ２外の位置に移動させて光学像を第１の画角とする。そして、メインＣＰＵ２５１は、既に説明した方法により、再度、フレーム枠Ｆの位置及び大きさを算出して液晶板２４８にフレーム枠Ｆを表示する。
【００７６】
撮影範囲が第１の画角より大きい場合には、メインＣＰＵ２５１（表示制御手段）は、表示制御部２１０（表示制御手段）を制御して、フレーム枠Ｆ（第１の画像）とは異なる画像として、撮影範囲が光学像の画角によって示される範囲より大きいことを示す画像（第２の画像）を液晶板２４８に表示する。
【００７７】
図１０は、撮影範囲が光学像の画角によって示される範囲より大きいことを示す指標としての画像（第２の画像）が表示された場合のファインダ表示の一例である。メインＣＰＵ２５１は、先端が光学像の外側に向いた形状（矢じり形状）を含む矢印Ａが、光学像の四隅近傍に重畳されるように、矢印Ａを第２の画像として液晶板２４８に表示させる。また、メインＣＰＵ２５１は、角に沿ったＬ字形状の括弧Ｂが光学像の四隅近傍に表示されるように、括弧Ｂを第２の画像として液晶板２４８に表示させる。
【００７８】
なお、図１０では、矢印Ａ及び括弧Ｂが光学像に重ねて表示されたが、撮影範囲が光学像の画角によって示される範囲より大きいことを示す画像はこれに限られない。例えば、矢印Ａ、括弧Ｂのどちらかのみを光学像に重ねて表示してもよい。また、矢印Ａの代わりに、矢印Ａの矢じり形状の部分のみを表示してもよい。矢じり形状としては、Ｖ字形状、三角形状等、先端が光学像の外側に向いた形状のあらゆる指標（マーク）が挙げられる。また、矢印Ａを光学像の四辺近傍（例えば各辺の略中央）に外向きで表示させてもよい。また、辺に沿った棒状の画像を四つの各辺の近傍に表示させてもよい。さらに、撮影範囲が光学像の画角によって示される範囲より大きいことを示す画像として、光学像の縁に沿った枠や、矢印Ａ及び括弧Ｂ等の画像を点滅表示させてもよい。
【００７９】
このようにして、ユーザが光学像より撮影範囲が広いことを認識した場合には、ユーザは電子像がファインダ２４０に表示されるようにすることもできる。ユーザがファインダ切り替えレバー２１４を操作すると、メインＣＰＵ２５１はこれを認識し、液晶シャッタ２４３を閉じて全遮光状態とし、被写体の光学像を視認できないようにする。さらに、メインＣＰＵ２５１は、撮像素子２０２の出力に基づいて生成された画像データを順次表示制御部２１０に加える。表示制御部２１０は、入力された画像データを反転し、モニタ表示用の信号形式に変換して液晶板２４８に出力する。これにより、撮像素子２０２に結像された被写体像（撮影画像）がファインダ接眼部２４２に導かれ、ファインダ２４０表示が図１１に示す電子像に切り替えられる(電子ビューファインダ)。図１１に示す電子像に切り替えられた場合には、メインＣＰＵ２５１は、画像データに加え、ＡＦエリアを示す枠Ｅを液晶板２４８に表示させる。
【００８０】
また、メインＣＰＵ２５１は、撮像素子２０２の出力に基づいて生成された画像データを順次表示制御部２１０に加え、表示制御部２１０が入力された画像データモニタ表示用の信号形式に変換してモニター２１３に出力することで、撮影画像をモニター２１３に表示させることもできる。
【００８１】
これにより、撮影準備が終了される。ユーザは、ファインダ接眼部２４２を覗きながらズーミング等を行う。画角が決定されると、ユーザがレリーズボタン２１１を押して撮影指示を入力する。
【００８２】
レリーズボタン２１１の第１段階の押下（半押し）があると、メインＣＰＵ２５１に撮影準備動作が指示される。すなわち、メインＣＰＵ２５１はＡＦ及びＡＥ動作を開始させ、これに応じてＡ／Ｄ変換器２０４から出力される画像データがＡＦ検出部２２７及びＡＥ／ＡＷＢ検出部２２９に取り込まれ、ＡＥ動作及びＡＦ動作が行われる。
【００８３】
また、レリーズボタン２１１の半押しがあった場合には、メインＣＰＵ２５１は、フレーム枠Ｆ及び撮影範囲が光学像の画角によって示される範囲より大きいことを示す画像（本実施の形態では、矢印Ａ及び括弧Ｂ）を液晶板２４８から消す。これにより、レリーズボタン２１１の半押しがあった後は、フレーム枠Ｆ及び撮影範囲が光学像の画角によって示される範囲より大きいことを示す画像がファインダ２４０に表示されなくなる。
【００８４】
ＡＥ動作及びＡＦ動作が終了し、レリーズボタン２１１の第２段階の押下（全押し）があると、メインＣＰＵ２５１に撮影動作が指示される。すなわち、撮像素子制御部２０１から加えられる読み出し信号に基づいて、撮像素子２０２に蓄積された信号電荷が信号電荷に応じた電圧信号として読み出され、アナログ信号処理部２０３に加えられる。アナログ信号処理部２０３は、撮像素子２０２から出力された電圧信号に対して相関二重サンプリング処理により各画素のＲ、Ｇ、Ｂ信号をサンプリングホールドし、増幅した後Ａ／Ｄ変換器２０４に加える。Ａ／Ｄ変換器２０４は、順次入力するアナログのＲ、Ｇ、Ｂ信号をデジタルのＲ、Ｇ、Ｂ信号に変換して画像入力コントローラ２０５に出力する。
【００８５】
画像入力コントローラ２０５から出力された画像データはデジタル信号処理部２０６に入力されてオフセット処理、ホワイトバランス補正及び感度補正を含むゲインコントロール処理、ガンマ補正処理、ＹＣ処理等の信号処理が行われ、ＶＲＡＭ２３０への書き込み／読み出しを経て表示制御部２１０でエンコーディングされてモニター２１３に出力され、これにより被写体像がモニター２１３に表示される。
【００８６】
また、レリーズボタン２１１の全押しに応答してＡ／Ｄ変換器２０４から出力される画像データが画像入力コントローラ２０５からＳＤＲＡＭ（メモリ）２３２に入力され、一時的に記憶される。ＳＤＲＡＭ２３２への一時記憶後、デジタル信号処理部２０６におけるゲインコントロール処理、ガンマ補正処理、ＹＣ処理等の信号処理や圧縮・伸張処理部２０８でのJPEG(joint photographic experts group)形式への圧縮処理等を経て画像ファイルが生成され、その画像ファイルは、メディア制御部２３４により読み出されてメモリカード２３６に記憶される。メモリカード２３６に記憶された画像は、操作部２２０の再生ボタンを操作することによりモニター２１３で再生表示することができる。
【００８７】
以上説明したように、本実施形態の撮像装置１００は、交換レンズ３００を装着させるカメラマウント（マウント２５６）と、交換レンズ３００を透過した被写体光に基づいて撮影画像を取得する撮影手段（撮像素子２０２）と、撮影画像と異なる経路で被写体の略矩形状の光学像を接眼部（ファインダ接眼部２４２）に導く光学ファインダ（ファインダ２４０の光学ファインダ）と、画像を表示する表示手段（ファインダ２４０の液晶板２４８）と、表示手段（ファインダ２４０の液晶板２４８）に表示された画像を光学像に重畳して接眼部（ファインダ接眼部２４２）に導く画像重畳手段（ファインダ２４０のプリズム２４６）と、カメラマウント（マウント２５６）に装着された交換レンズ３００の情報（レンズ情報）を取得する取得手段（メインＣＰＵ２５１及びマウント通信部２５０）と、取得したレンズ情報に基づいて、撮影画像に相当する光学像の範囲である撮影範囲を決定する撮影範囲決定手段（メインＣＰＵ２５１）と、撮影範囲が光学像の画角によって示される範囲以下の場合には、光学像における撮影範囲を示す第１の画像（例えばフレーム枠Ｆ）を表示手段（ファインダ２４０の液晶板２４８）に表示させ、撮影範囲が光学像の画角によって示される範囲より大きい場合には、第１の画像とは異なる第２の画像（指標）が、光学像の四隅近傍（または四辺近傍）に重畳されるように、その第２の画像を表示手段（ファインダ２４０の液晶板２４８）に表示させる表示制御手段（メインＣＰＵ２５１及び表示制御部２１０）を備える。
【００８８】
本実施の形態によれば、撮影範囲が光学像より広い場合においても、このことをユーザが容易に、直感的に把握させることができる。
【００８９】
なお、本実施の形態では、メインＣＰＵ２５１は、フレーム枠Ｆの大きさが光学像の画角によって示される範囲より大きい場合には、撮影範囲が光学像の画角によって示される範囲より大きいことを示す画像を光学像に重ねて表示したが、フレーム枠Ｆの大きさ（撮影範囲）が光学像の画角によって示される範囲を超える程度（フレーム枠Ｆの広さと光学像の画角によって示される範囲の広さとの差）を算出し、フレーム枠Ｆの大きさが光学像の画角によって示される範囲を越える程度に基づいて、撮影範囲が光学像の画角によって示される範囲より大きいことを示す画像（指標）の大きさ、色、明るさ、形状などを変更するようにしてもよい。例えば、フレーム枠Ｆの辺の長さが光学像の辺の長さの１１０％以下の場合には撮影範囲が光学像の画角によって示される範囲より大きいことを示す画像の色を黄色とし、フレーム枠Ｆの辺の長さが１１０％より大きい場合には撮影範囲が光学像の画角によって示される範囲より大きいことを示す画像の色を赤色とするようにしてもよい。
【００９０】
＜第２の実施の形態＞
第１の実施の形態では、フレーム枠Ｆが光学像の画角によって示される範囲より大きい場合には、メインＣＰＵ２５１は、撮影範囲が光学像の画角によって示される範囲より大きいことを示す画像（例えば矢印Ａ及び括弧Ｂ）を液晶板２４８に表示させ、光学像に重ねて表示したが、撮影範囲が光学像の画角によって示される範囲より大きいことを示す形態はこれに限られない。
【００９１】
本発明の第２の実施の形態は、撮影範囲が光学像の画角によって示される範囲より大きいことを示す画像として、撮影範囲と光学像の画角によって示される範囲との関係を示す画像を表示する形態である。なお、第２の実施の形態と第１の実施の形態とは、撮影範囲と光学像の画角によって示される範囲との関係を示す画像の表示のみが相違するため、この相違点のみ説明し、他の説明は省略する。
【００９２】
メインＣＰＵ２５１は、表示制御部２１０を制御して、フレーム枠Ｆとは異なる画像として、撮影範囲が光学像の画角より大きいことを示す画像を液晶板２４８に表示する。図１２は、撮影範囲が光学像の画角より大きいことを示す画像が表示された場合のファインダ表示の一例である。
【００９３】
メインＣＰＵ２５１は、矢印Ａ及び括弧Ｂが光学像の四隅近傍に表示されるように、矢印Ａ及び括弧Ｂを液晶板２４８に表示させる。
【００９４】
さらに、メインＣＰＵ２５１は、ファインダ変倍レンズ２４４が光軸Ｌ２上にあるか否かを示す情報（すなわち、光学像の画角が第１の画角であるか、第２の画角であるかを示す情報）と、交換レンズ３００の焦点距離を取得し、これらの情報に基づいて光学像の画角によって示される範囲と撮影範囲との関係を算出する。これは、メインＣＰＵ２５１内のメモリ等に記憶された光学像の画角と焦点距離との関係を参照することで求めることができる。そして、メインＣＰＵ２５１は、図１２に示すように、光学像の画角によって示される範囲を示す枠Ｃ１と撮影範囲を示す枠Ｃ２が重ねて表示された画像Ｃを液晶板２４８に表示させる。これにより、光学像に矢印Ａ、括弧Ｂ及び画像Ｃが重畳表示される。
【００９５】
本実施の形態によれば、撮影範囲が光学像の画角によって示される範囲より大きいことを示す画像として、撮影範囲と光学像の画角によって示される範囲との関係を示す画像が光学像に重ねて表示されるため、撮影範囲が光学像より大きいこと、及び撮影範囲が光学像の画角によって示される範囲からどの程度はみ出しているかをユーザが直感的に認識することができる。
【００９６】
本実施の形態では、光学像の画角によって示される範囲を示す枠Ｃ１を実線、撮影範囲を示す枠Ｃ２を点線で表示したが、画像Ｃはこれに限定されない。例えば、光学像の画角によって示される範囲を示す枠Ｃ１の色と撮影範囲を示す枠Ｃ２の色とを変えて表示してもよい。
【００９７】
＜第３の実施の形態＞
第１の実施の形態では、フレーム枠Ｆが光学像の画角によって示される範囲より大きい場合には、メインＣＰＵ２５１は、撮影範囲が光学像の画角によって示される範囲より大きいことを示す画像として矢印Ａ及び括弧Ｂを液晶板２４８に表示させ、光学像に重ねて表示したが、撮影範囲のうちの光学像の画角によって示される範囲より大きい領域についてはユーザが確認することができない。
【００９８】
本発明の第３の実施の形態は、撮影範囲が光学像の画角によって示される範囲より大きい場合に、撮影範囲のうちの光学像の画角によって示される範囲より大きい領域の画像を表示する形態である。なお、第３の実施の形態と第１の実施の形態とは、撮影範囲が光学像の画角によって示される範囲より大きい場合の表示のみが相違するため、この相違点のみ説明し、他の説明は省略する。
【００９９】
メインＣＰＵ２５１は、表示制御部２１０を制御して、フレーム枠Ｆとは異なる画像として、撮影範囲が光学像の画角によって示される範囲より大きいことを示す画像として矢印Ａ及び括弧Ｂを液晶板２４８に表示する。
【０１００】
さらに、メインＣＰＵ２５１は、十字キー２２１が操作されると、撮影画像のうちの光学像の画角によって示される範囲より大きい領域の画像のうちの、十字キー２２１で指示された方向にはみだした画像（以下、「はみ出し画像」という）を光学像の液晶板２４８に表示する。はみ出し画像は、指示された方向のはみ出し領域（光学像の画角によって示される範囲を越える領域）に対応する画像である。十字キー２２１で指示された方向が確認できるように、はみ出し画像は、十字キー２２１で指示された方向における光学像の端部に沿って、光学像に重畳されるように、液晶板２４８に表示される。
【０１０１】
十字キー２２１により上方向の指示が入力された場合を例に説明する。まず、ファインダ変倍レンズ２４４が光軸Ｌ２上にあるか否かを示す情報と、交換レンズ３００の焦点距離を取得し、これらの情報に基づいて光学像の画角によって示される範囲と撮影範囲との関係を算出する。図１３は、光学像の画角によって示される範囲と撮影範囲との関係を示す図である。図１３においては、外側の実線が撮影範囲であり、内側の点線が光学像の画角によって示される範囲である。十字キー２２１により上方向の指示が入力されているため、点線の上側のハッチングされた領域がはみ出し画像の領域である。そして、メインＣＰＵ２５１は、図１３のハッチング領域の画像が光学像の上端(図１３の点線で囲まれた領域)に沿って表示されるように、ハッチングされた領域の画像を液晶板２４８に表示する。その結果、図１４に示すように、図１３のハッチングされた領域の画像が光学像の上端に沿って重畳表示される。
【０１０２】
なお、図１４においては、はみだし画像が表示された領域については、矢印Ａ及び括弧Ｂが表示されていないが、はみだし画像が表示された領域についても矢印Ａ及び括弧Ｂを表示しても良い。
【０１０３】
本実施の形態によれば、ユーザが光学像を見たまま、撮影範囲に含まれる被写体であって、光学像からはみ出した部分の被写体がどのようになっているかを確認することができる。
【０１０４】
なお、本実施の形態では、はみ出し画像が光学像に重畳表示される、すなわち、はみ出し画像及び光学像はそれぞれ半透明表示されるが、はみ出し画像のみを表示し、はみ出し画像が表示された領域については光学像を非表示としてもよい。具体的には、メインＣＰＵ２５１は、液晶シャッタ２４３のうちの液晶板２４８のはみ出し画像が表示された領域（図１３の点線で囲まれた領域）に対応する領域が遮光状態となるように、液晶シャッタ制御部２３９を介して液晶シャッタ２４３を制御すればよい。
【０１０５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【０１０６】
また、本発明の撮影装置の実施形態として、デジタルカメラについて説明してきたが、撮影装置の構成はこれに限定されない。本発明のその他の撮影装置としては、例えば、内蔵型又は外付け型のPC用カメラ等の撮影機能を有する携帯端末装置とすることができる。
【符号の説明】
【０１０７】
１００：撮像装置、２００：カメラ本体、２０１：撮像素子制御部、２０２：撮像素子、２０３：アナログ信号処理部、２０４：ＡＤ変換器、２０５：画像入力コントローラ、２０６：デジタル信号処理部、２０８：圧縮・伸張処理部、２１０：表示制御部、２１１：レリーズボタン、２１２：ダイヤル、２１３：モニター、２１４：ファインダ切り替えレバー、２２０：操作部、２２１：十字キー、２２２：ＭＥＮＵ／ＯＫキー、２２３：ＢＡＣＫキー、２２４：Ｑボタン、２２７：ＡＦ検出部、２２９：ＡＥ／ＡＷＢ検出部、２３４：メディア制御部、２３６：メモリカード、２３８：ファインダ制御部、２３９：液晶シャッタ制御部、２４０：ファインダ、２４１：ファインダ窓、２４２：ファインダ接眼部、２４３：液晶シャッタ、２４４：ファインダ変倍レンズ、２４５：対物レンズ、２４６：プリズム、２４７：接眼レンズ、２４８：液晶板、２４９：液晶板用レンズ、２５０：マウント通信部、２５１：メインＣＰＵ、２５２：バッテリ、２５６：マウント、３００：レンズ装置、３１０：ズームレンズ制御部、３２０：フォーカスレンズ制御部、３３０：絞り制御部、３４０：レンズＣＰＵ、３４６：マウント、３５０：マウント通信部、ＺＬ：ズームレンズ、ＦＬ：フォーカスレンズ、Ｉ：絞り
【図１】
2013153712.tif 000003
【図２】
2013153712.tif 000004
【図３】
2013153712.tif 000005
【図４】
2013153712.tif 000006
【図５】
2013153712.tif 000007
【図６】
2013153712.tif 000008
【図７】
2013153712.tif 000009
【図８】
2013153712.tif 000010
【図９】
2013153712.tif 000011
【図１０】
2013153712.tif 000012
【図１１】
2013153712.tif 000013
【図１２】
2013153712.tif 000014
【図１３】
2013153712.tif 000015
【図１４】
2013153712.tif 000016
【国際調査報告】
2013153712.tif 000017
2013153712.tif 000018
2013153712.tif 000019
2013153712.tif 000020